(57)【要約】    【課題】  背面ディスプレイを有する携帯電話端末の、操作ボタン側筐体正面に配置した操作ボタン並びにディスプレイ側筐体背面に配置した方向ボタン及び決定ボタンを、片手で同時に操作することのできる携帯電話端末を提供する。    【解決手段】  ディスプレイ側筐体１と操作ボタン側筐体２とが一端側でヒンジ部６により回動可能に結合され、ディスプレイ側筐体１の正面及び背面にそれぞれ、正面ディスプレイ７及び背面ディスプレイ３を有する、折り畳み型の携帯電話端末において、ディスプレイ側筐体１の背面に、方向を指示する方向ボタンに決定ボタンを配置することを特徴とする。    【選択図】  図１
2005347910.tif 000002
【特許請求の範囲】
【請求項１】
ディスプレイ側筐体と操作ボタン側筐体とが一端側でヒンジ部により回動可能に結合され、前記ディスプレイ側筐体の正面及び背面にそれぞれ、正面ディスプレイ及び背面ディスプレイを有する、折り畳み型の携帯電話端末において、
前記ディスプレイ側筐体の背面に、方向を指示する方向ボタンに決定ボタンを配置することを特徴とする携帯電話端末。
【請求項２】
前記方向ボタン及び決定ボタンを前記ヒンジ部の近傍に配置することを特徴とする請求項１に記載の携帯電話端末。
【請求項３】
前記方向ボタンが上下及び左右の方向を指示する４方向の方向ボタンからなり、前記決定ボタンを前記４方向の方向ボタンの中央に一体に設けたことを特徴とする請求項１又は請求項２に記載の携帯電話端末。
【請求項４】
ディスプレイ側筐体と操作ボタン側筐体とが一端側でヒンジ部により回動可能に結合され、前記ディスプレイ側筐体の正面及び背面にそれぞれ、正面ディスプレイ及び背面ディスプレイを有する、折り畳み型の携帯電話端末において、
ジョグダイヤル又はジョイスティック又はニューロポインターを含むアナログポインティングデバイスを、前記ディスプレイ側筐体背面の前記ヒンジ部近傍に配置することを特徴とする携帯電話端末。
【請求項５】
ディスプレイ側筐体と操作ボタン側筐体とが一端側でヒンジ部により回動可能に結合され、前記ディスプレイ側筐体の正面及び背面にそれぞれ、正面ディスプレイ及び背面ディスプレイを有する、折り畳み型の携帯電話端末において、
前記ディスプレイ側筐体の背面に、上下及び左右の方向を指示する４方向の方向ボタンを配置し、
決定ボタンを前記ディスプレイ側筐体の側面又は前記操作ボタン側筐体の側面に配置することを特徴とする携帯電話端末。
【請求項６】
摺動する蓋が結合された筐体により構成され、前記蓋の外側に操作ボタンが配置され、携帯時は前記筐体のディスプレイが蓋により覆われ、蓋を摺動してディスプレイを露呈させた状態で使用するスライド型の携帯電話端末において、
上下及び左右の方向を指示する４方向の方向ボタンの中央に決定ボタンを一体に構成した方向ボタン及び決定ボタンを前記筐体の背面に配置し、
背面ディスプレイを前記筐体の背面に配置することを特徴とする携帯電話端末。
【請求項７】
ディスプレイ側筐体と操作ボタン側筐体とが一端側でヒンジ部により回動可能に結合され、ディスプレイ側筐体は前記ヒンジ部の中央に設けられた回転軸を中心に回転し、前記ディスプレイ側筐体の正面及び背面にそれぞれ、正面ディスプレイ及び背面ディスプレイを配置する回転型の携帯電話端末において、
前記ディスプレイ側筐体背面の前記ヒンジ部近傍に、上下及び左右の方向を指示する４方向の方向ボタンの中央に決定ボタンを一体に構成した方向ボタン及び決定ボタンを配置することを特徴とする携帯電話端末。
【発明の詳細な説明】
【技術分野】
【０００１】
本発明は、携帯電話端末に関し、特に、携帯電話端末を開いた状態で、正面のボタンと背面のボタンを片手で同時に操作できる携帯電話端末に関する。
【背景技術】
【０００２】
携帯電話端末の付加機能の増加に伴って、それらに対応したボタンが必要となり、ボタンを配置するためのスペースも必要となる。しかしながら、携帯電話端末は小型化に対する強い要求があるため、増加する機能に対応したボタンを追加しただけでは要求を満たすことはできない。すなわち、ボタンの追加だけでは、レイアウト、デザインの障害になるだけでなく、携帯電話端末が視覚的に複雑な印象となり、操作性を損なうこともある。
【０００３】
一方、折り畳み型の携帯電話端末の背面ディスプレイについては大型化の傾向があり、そのディスプレイを使用した機能の発展が予想される。しかしながら背面ディスプレイの機能を十分に発揮するには、機能に対応したボタンが必要となる。また、背面ディスプレイのみを使用する場合も考えると、携帯電話端末を折り畳んだ状態（以下では閉状態と略す）でも使用できることが好ましく、これらのボタンは背面ディスプレイの付近にあることが好ましい。
【０００４】
また、通常の携帯電話端末を開いた状態（以下では開状態と略す）では、携帯電話端末の正面のボタンと背面ディスプレイのために配置したボタンとを片手で同時に無理なく操作できることが好ましい。
【０００５】
このような問題を解決する方法の一例が、例えば特開２０００−２３６３７６号公報（特許文献１）及び例えば特開２００３−４４２０７号公報（特許文献２）に記載されている。
【０００６】
特許文献１の方法では、携帯電話端末に設置された複数の操作ボタンの内、方向ボタン、決定ボタン及びクリアボタンを、ディスプレイの配置された筐体の背面に配置するというものである。
【０００７】
特許文献１の方法は、折り畳み型携帯電話端末に対しても適用できる。この方法では、ディスプレイを配置したディスプレイ側筐体と操作ボタンが配置された操作ボタン側筐体とがヒンジ部により結合された折り畳み型携帯電話端末の場合、方向ボタン、決定ボタン及びクリアボタンをディスプレイ側筐体の背面に配置する。
【０００８】
なお、特許文献１の方法では、ディスプレイ側筐体背面への背面ディスプレイの配置は開示されていない。
【０００９】
また、特許文献２の方法では、折り畳み型携帯電話端末において、ディスプレイ側筐体の背面に、背面ボタンと背面ディスプレイを配置するというものである。この背面ボタンは、一定時間以上押し続けると、所定のサーバ装置に接続を行うことができる。
【特許文献１】特開２０００−２３６３７６号公報
【特許文献２】特開２００３−４４２０７号公報
【発明の開示】
【発明が解決しようとする課題】
【００１０】
上述した従来の技術は、いずれも以下に述べるような問題点があった。
【００１１】
特許文献１の方法では、携帯電話端末に設置された複数の操作ボタンの内、方向ボタン、決定ボタン及びクリアボタンを、ディスプレイ側筐体の背面に配置するというものである。この方法では、折り畳み型携帯電話端末の場合においても、これらのボタンをディスプレイ側筐体の背面に配置することができる。
【００１２】
しかしながら、特許文献１の方法の場合、背面ディスプレイは備えていないため、方向ボタン、決定ボタン及びクリアボタンは正面ディスプレイを操作するためのボタンであり、背面ディスプレイ付きの携帯電話端末の操作を行うことを目的としたものではなかった。
【００１３】
また、特許文献１の方法では、方向ボタン、決定ボタン及びクリアボタンはディスプレイ側筐体背面の長手方向のほぼ中央付近に配置されている。このため、携帯電話端末を開状態にして、片手で操作を行うことを考えると、操作ボタン側筐体正面のボタンとディスプレイ側筐体背面の方向ボタン、決定ボタン及びクリアボタンの間隔がやや広くなり、操作がしづらくなるという欠点があった。
【００１４】
また、特許文献２の方法では、折り畳み型携帯電話端末において、正面ディスプレイ側筐体の背面に、背面ボタンと背面ディスプレイを配置する。
【００１５】
特許文献２の方法では、背面ボタンにより、背面ディスプレイの操作は可能であるが、操作内容はあくまで、サーバ装置への接続のみであり、背面ディスプレイの大型化により可能となる、インターネット、テレビゲーム等の多彩な選択に対応するものではなかった。
【００１６】
本発明の第１の目的は、上記従来技術の欠点を解決し、背面ディスプレイを有する携帯電話端末の、操作ボタン側筐体正面に配置した操作ボタン並びにディスプレイ側筐体背面に配置した方向ボタン及び決定ボタンを、片手で同時に操作することのできる携帯電話端末を提供することにある。
【００１７】
本発明の第２の目的は、背面ディスプレイを有する携帯電話端末を閉じた状態で、背面ディスプレイを画像媒体とするインターネット、テレビゲーム等の操作を可能とする携帯電話端末を提供することにある。
【課題を解決するための手段】
【００１８】
上記目的を達成するための本発明は、ディスプレイ側筐体と操作ボタン側筐体とが一端側でヒンジ部により回動可能に結合され、前記ディスプレイ側筐体の正面及び背面にそれぞれ、正面ディスプレイ及び背面ディスプレイを有する、折り畳み型の携帯電話端末において、前記ディスプレイ側筐体の背面に、方向を指示する方向ボタンに決定ボタンを配置することを特徴とする。
【００１９】
請求項２の本発明の携帯電話端末は、前記方向ボタン及び決定ボタンを前記ヒンジ部の近傍に配置することを特徴とする。
【００２０】
請求項３の本発明の携帯電話端末は、前記方向ボタンが上下及び左右の方向を指示する４方向の方向ボタンからなり、前記決定ボタンを前記４方向の方向ボタンの中央に一体に設けたことを特徴とする。
【００２１】
請求項４の本発明の携帯電話端末は、ディスプレイ側筐体と操作ボタン側筐体とが一端側でヒンジ部により回動可能に結合され、前記ディスプレイ側筐体の正面及び背面にそれぞれ、正面ディスプレイ及び背面ディスプレイを有する、折り畳み型の携帯電話端末において、ジョグダイヤル又はジョイスティック又はニューロポインターを含むアナログポインティングデバイスを、前記ディスプレイ側筐体背面の前記ヒンジ部近傍に配置することを特徴とする。
【００２２】
請求項５の本発明の携帯電話端末は、ディスプレイ側筐体と操作ボタン側筐体とが一端側でヒンジ部により回動可能に結合され、前記ディスプレイ側筐体の正面及び背面にそれぞれ、正面ディスプレイ及び背面ディスプレイを有する、折り畳み型の携帯電話端末において、前記ディスプレイ側筐体の背面に、上下及び左右の方向を指示する４方向の方向ボタンを配置し、決定ボタンを前記ディスプレイ側筐体の側面又は前記操作ボタン側筐体の側面に配置することを特徴とする。
【００２３】
請求項６の本発明の携帯電話端末は、摺動する蓋が結合された筐体により構成され、前記蓋の外側に操作ボタンが配置され、携帯時は前記筐体のディスプレイが蓋により覆われ、蓋を摺動してディスプレイを露呈させた状態で使用するスライド型の携帯電話端末において、上下及び左右の方向を指示する４方向の方向ボタンの中央に決定ボタンを一体に構成した方向ボタン及び決定ボタンを前記筐体の背面に配置し、背面ディスプレイを前記筐体の背面に配置することを特徴とする。
【００２４】
請求項７の本発明の携帯電話端末は、ディスプレイ側筐体と操作ボタン側筐体とが一端側でヒンジ部により回動可能に結合され、ディスプレイ側筐体は前記ヒンジ部の中央に設けられた回転軸を中心に回転し、前記ディスプレイ側筐体の正面及び背面にそれぞれ、正面ディスプレイ及び背面ディスプレイを配置する回転型の携帯電話端末において、前記ディスプレイ側筐体背面の前記ヒンジ部近傍に、上下及び左右の方向を指示する４方向の方向ボタンの中央に決定ボタンを一体に構成した方向ボタン及び決定ボタンを配置することを特徴とする。
【発明の効果】
【００２５】
本発明の携帯電話端末によれば、以下の効果が達成される。
【００２６】
第１に、携帯電話端末が開いた状態では、ディスプレイ側筐体背面に配置した方向ボタン及び決定ボタンは、操作ボタン側筐体の正面に配置された操作ボタンに対して十分近い位置にあるため、使用者は、操作ボタン側筐体の操作ボタン並びにディスプレイ側筐体背面に配置した方向ボタン及び決定ボタンを、片手で同時に操作することができ、操作性がより向上する。
【００２７】
第２に、背面ディスプレイの配置されているディスプレイ側筐体背面に、方向ボタン及び決定ボタンを配置したため、携帯電話端末を畳んだ状態であっても、背面ディスプレイを画像媒体とするインターネット、テレビゲーム等の操作をすることができ、背面ディスプレイの利用効果を高められる。
【実施例１】
【００２８】
以下、本発明の第１の実施例について図面を参照して詳細に説明する。
【００２９】
図１は、本実施例による携帯電話端末の開状態での背面の外観の一例を示す概略図、また図２は、本実施例による携帯電話端末の開状態での側面の外観の一例を示す概略図、また図３は、本実施例による携帯電話端末の開状態での正面の外観の一例を示す概略図である。
【００３０】
図１を参照すると、本実施例による携帯電話端末は、ディスプレイ側筐体１の背面に、背面ディスプレイ３、上下及び左右の方向を指示する４方向の方向ボタン４（選択ボタン）及び決定ボタン５が配置されている。方向ボタン４及び決定ボタン５は、ヒンジ部６近傍に配置されている。方向ボタン４は決定ボタン５と一体に構成されている。
【００３１】
方向ボタン４は、正面ディスプレイ７あるいは背面ディスプレイ３に表示される複数の情報項目から何れかを選択することができる。また、決定ボタン５は、方向ボタン４を操作することにより選択した情報項目の決定を行うことができる。
【００３２】
図２を参照すると、本実施例による携帯電話端末は、ディスプレイ側筐体１と操作ボタン側筐体２が、一端側で回動可能となるようにヒンジ部６で結合された、折り畳み型の携帯電話端末となっている。
【００３３】
図３を参照すると、ディスプレイ側筐体１の正面には、正面ディスプレイ７が配置されている。また、操作ボタン側筐体２の正面に、通話開始ボタン８、通話終了ボタン９、ダイヤルボタン１０が配置されている。これらの操作ボタンは、ヒンジ部６の近傍に配置してある。
【００３４】
次に、本実施例による動作について図を用いて詳細に説明する。
【００３５】
図４は、本実施例による携帯電話端末の開状態での背面側の操作の様子を示す図、また図５は、本実施例による携帯電話端末の開状態での正面側の操作の様子を示す図である。
【００３６】
図４を参照すると、方向ボタン４及び決定ボタン５は、ヒンジ部６の近傍に配置されている。
【００３７】
また、図５を参照すると、操作ボタン側筐体２の正面に配置された通話開始ボタン８、通話終了ボタン９及びダイヤルボタン１０は、方向ボタン４及び決定ボタン５のスペースが空いた分だけ、ヒンジ部６近傍に移動することが可能となり、ヒンジ部６に近い位置に配置されている。
【００３８】
このため、ディスプレイ側筐体１背面の方向ボタン４及び決定ボタン５は、操作ボタン側筐体２の正面の通話開始ボタン８、通話終了ボタン９及びダイヤルボタン１０から十分近い位置にある。
【００３９】
携帯電話端末の使用者は、正面ディスプレイ７を見ながら、操作ボタン側筐体２の正面に配置された通話開始ボタン８、通話終了ボタン９及びダイヤルボタン１０を親指により、またディスプレイ側筐体１の背面に配置された方向ボタン４及び決定ボタン５を人指し指により操作する。
【００４０】
このような操作によれば、使用者は、片手で、かつ握り直しをすることなく操作ボタン側筐体２の正面に配置された操作ボタンとディスプレイ側筐体１の背面に配置された操作ボタンの操作を同時に行うことができる。
【００４１】
次に、携帯電話端末が閉状態での動作について説明する。
【００４２】
図６は、本実施例による携帯電話端末の閉状態における側面の外観を示す概略図、また図７は、本実施例による携帯電話端末の閉状態におけるディスプレイ側筐体１の背面の外観を示す概略図である。
【００４３】
図６を参照すると、携帯電話端末が閉状態では、ディスプレイ側筐体１の正面及び操作ボタン側筐体２の正面は対向して折り畳まれ、使用することはできない。しかし、ディスプレイ側筐体１の背面ディスプレイ３、方向ボタン４及び決定ボタン５は使用することができる。
【００４４】
図７を参照すると、携帯電話端末が閉状態では、方向ボタン４及び決定ボタン５を操作して、背面ディスプレイ３に表示される複数の情報項目の選択、決定を行うことができる。
【００４５】
図８は、本実施例による携帯電話端末が閉状態での操作の様子を示す図である。
【００４６】
図８を参照すると、使用者は、背面ディスプレイ３を見ながら方向ボタン４及び決定ボタン５による選択、決定の操作を、片手で行なうことができる。方向ボタン４及び決定ボタン５による操作の可能な、インターネット、テレビゲーム、電話の発着信及び端末の機能設定を使用者は端末を開くことなく操作を行うことができる。
【００４７】
上記実施例においては、折り畳み型携帯電話端末のディスプレイ側筐体１の背面に、方向ボタン４及び決定ボタン５を配置したが、これらの操作ボタンと同等の機能を有するジョグダイヤル又はジョイスティック又はニューロポインター等のアナログポインティングデバイスを方向ボタン４及び決定ボタン５の代わりに、ディスプレイ側筐体１の背面に配置しても良い。
【００４８】
図９に、本実施例による、ジョグダイヤル１１をディスプレイ側筐体１の背面に配置したときの開状態での外観の一例を示す。ジョグダイヤル１１では回転により複数の情報項目から何れかを選択できると共に、押すことにより項目の決定をすることができる。
【００４９】
また、図１０に、本実施例によるジョイスティック１２をディスプレイ側筐体１の背面に配置したときの開状態での外観の一例を示す。ジョイスティック１２ではレバーを傾けることにより方向の選択ができると共に、押すことにより決定をすることができる。
【００５０】
また、上記実施例では、決定ボタン５を方向ボタン４と一体の構成としたが、決定ボタン５の位置は、これにとらわれることなく、ディスプレイ側筐体１の背面であれば方向ボタン４と別に配置しても良い。決定ボタン５は、さらに必要に応じて、ディスプレイ側筐体１の側面又は操作ボタン側筐体２の側面に配置することもできる。
【００５１】
図１１に、本実施例による、決定ボタン５をディスプレイ側筐体１の側面に配置したときの開状態での外観の一例を示す。このようにすることにより、利用者は方向ボタン４と決定ボタン５を、それぞれ別の指で操作することができるようになる。
【００５２】
以上説明した実施例によれば、折り畳み型の携帯電話端末が開いた状態では、ディスプレイ側筐体１背面に配置した方向ボタン４及び決定ボタン５は、操作ボタン側筐体２の正面に配置された操作ボタンに対して十分近い位置にあるため、使用者は、操作ボタン側筐体２の操作ボタン並びにディスプレイ側筐体１の背面に配置した方向ボタン４及び決定ボタン５を、片手で同時に操作することができ、操作性がより向上する。
【００５３】
上記実施例においては、折り畳み型携帯電話端末のディスプレイ側筐体１の背面に、方向ボタン４及び決定ボタン５を配置したが、以下に述べるように、別の構造を有する携帯電話端末であっても、上記実施例の方法を同様に適用することができる。
【実施例２】
【００５４】
次に、本発明の第２の実施例について図面を用いて説明する。
【００５５】
図１２は、本実施例によるスライド型携帯電話端末の筐体１３の背面に背面ディスプレイ３並びに方向ボタン４及び決定ボタン５を配置した開状態での筐体１３側面の外観の一例を示す概略図、また図１３は本実施例によるスライド型携帯電話端末の筐体１３の背面に背面ディスプレイ３並びに方向ボタン４及び決定ボタン５を配置した開状態での筐体１３背面の外観の一例を示す概略図である。
【００５６】
図１２を参照すると、筐体１３を携帯する際には筐体１３の正面ディスプレイ７は蓋１４により覆われ、使用の際は蓋１４を摺動して正面ディスプレイ７を露呈させた状態で使用するスライド型携帯電話端末は、蓋１４の外側に通話開始ボタン８、通話終了ボタン９及びダイヤルボタン１０が配置される。
【００５７】
図１３を参照すると、スライド型携帯電話端末背面には、方向ボタン４及び決定ボタン５を配置すると共に、背面ディスプレイ３を配置する。このようにすることにより、第１の実施例の場合と同等の効果を実現することができる。
【実施例３】
【００５８】
次に、本発明の第３の実施例について図面を用いて説明する。
【００５９】
図１４は、本実施例による回転型携帯電話端末のディスプレイ側筐体１の背面に背面ディスプレイ３並びに方向ボタン４及び決定ボタン５を配置した開状態での筐体の外観の一例を示す概略図である。
【００６０】
図１４を参照すると、回転型携帯電話端末では、ディスプレイ側筐体１と操作ボタン側筐体２とが一端側でヒンジ部６により回動可能に結合され、ディスプレイ側筐体１は前記ヒンジ部６の中央に設けられた回転軸１５を中心に回転し、ディスプレイ側筐体１の正面及び背面にそれぞれ、正面ディスプレイ７（図では示していない）及び背面ディスプレイ３が配置される。このように、ディスプレイ側筐体１背面の前記ヒンジ部６近傍に、方向ボタン４及び決定ボタン５を配置することにより、第１の実施例の場合と同等の効果を実現することができる。
【００６１】
また、携帯電話端末以外の、折り畳み型ＰＤＡ（Personal Digital Assistant）端末、携帯用ゲーム機であっても、折り畳み型携帯電話端末に構造が類似している場合には、上記実施例の方法を同様に適用することができる。
【００６２】
以上好ましい複数の実施例をあげて本発明を説明したが、本発明は必ずしも、上記実施例に限定されるものでなく、その技術的思想の範囲内において様々に変形して実施することができる。
【図面の簡単な説明】
【００６３】
【図１】本発明の第１の実施例による携帯電話端末の開状態での背面の外観の一例を示す概略図である。
【図２】本発明の第１の実施例による携帯電話端末の開状態での側面の外観の一例を示す概略図である。
【図３】本発明の第１の本実施例による携帯電話端末の開状態での正面の外観の一例を示す概略図である。
【図４】本発明の第１の本実施例による携帯電話端末の開状態での背面側の操作の様子を示す図である。
【図５】本発明の第１の本実施例による携帯電話端末の開状態での正面側の操作の様子を示す図である。
【図６】本発明の第１の本実施例による携帯電話端末の閉状態における側面の外観を示す概略図である。
【図７】本発明の第１の本実施例による携帯電話端末の閉状態におけるディスプレイ側筐体の背面の外観を示す概略図である。
【図８】本発明の第１の実施例による携帯電話端末が閉状態での操作の様子を示す図である。
【図９】本発明の第１の実施例によるジョグダイヤルをディスプレイ側筐体の背面に配置したときの開状態での外観の一例を示す概略図である。
【図１０】本発明の第１の実施例によるジョイスティックをディスプレイ側筐体の背面に配置したときの開状態での外観の一例を示す概略図である。
【図１１】本発明の第１の実施例による決定ボタンをディスプレイ側筐体の側面に配置したときの開状態での外観の一例を示す概略図である。
【図１２】本発明の第２の実施例によるスライド型携帯電話端末の筐体の背面に背面ディスプレイ並びに方向ボタン及び決定ボタンを配置した開状態での筐体側面の外観の一例を示す概略図である。
【図１３】本発明の第２の実施例によるスライド型携帯電話端末の筐体の背面に背面ディスプレイ並びに方向ボタン及び決定ボタンを配置した開状態での筐体背面の外観の一例を示す概略図である。
【図１４】本発明の第３の実施例による回転型携帯電話端末のディスプレイ側筐体の背面に背面ディスプレイ並びに方向ボタン及び決定ボタンを配置した開状態での筐体の外観の一例を示す概略図である。
【符号の説明】
【００６４】
１：ディスプレイ側筐体
２：操作ボタン側筐体
３：背面ディスプレイ
４：方向ボタン
５：決定ボタン
６：ヒンジ部
７：正面ディスプレイ
８：通話開始ボタン
９：通話終了ボタン
１０：ダイヤルボタン
１１：ジョグダイヤル
１２：ジョイスティック
１３：筐体
１４：蓋
１５：回転軸
【図１】
2005347910.tif 000003
【図２】
2005347910.tif 000004
【図３】
2005347910.tif 000005
【図４】
2005347910.tif 000006
【図５】
2005347910.tif 000007
【図６】
2005347910.tif 000008
【図７】
2005347910.tif 000009
【図８】
2005347910.tif 000010
【図９】
2005347910.tif 000011
【図１０】
2005347910.tif 000012
【図１１】
2005347910.tif 000013
【図１２】
2005347910.tif 000014
【図１３】
2005347910.tif 000015
【図１４】
2005347910.tif 000016